(57)【要約】【課題】高画質で縁なしのレンチキュラーを低いコストで製作する。【解決手段】記録シートにレンチキュラー画像を形成する工程と、凹部または凸部からなる第一嵌合部が形成された第一載置面を備える第一プレートの第一載置面にレンチキュラーレンズ面を仮固定する工程と、凹部または凸部からなる第二嵌合部が形成された第二載置面を備える第二プレートの第二載置面にレンチキュラー画像が形成された記録シートの嵌合面を仮固定する工程と、レンチキュラーレンズ面が仮固定された第一プレートと、嵌合面が仮固定された第二プレートとを整列させながら第一プレートと第二プレートとで挟んでレンズシートと記録シートとを重ね合わせる工程と、を含むレンチキュラー製作方法。【選択図】図４
2011186193.tif 000002
【特許請求の範囲】
【請求項１】
プリンターを用いてレンチキュラーを製作するためのシートセットであって、
レンチキュラーレンズ面と、
前記レンチキュラーレンズ面の裏面である平坦面と、
が形成されたレンズシートと、
前記プリンターから供給される着色剤を受容する平坦な受容面と、
前記受容面の裏面に対応し、前記受容面に垂直な軸周りの回転と主走査方向への平行移動とが嵌合により拘束される凹部または凸部からなる嵌合部が形成されている嵌合面と、
が形成された記録シートと、
を備えるレンチキュラーシートセット。
【請求項２】
前記嵌合部は、送紙方向を画定するために前記プリンターに形成された凹部または凸部からなるガイドと嵌合し、前記レンチキュラーレンズ面の等高線と平行な溝または線条からなり、
前記溝または前記線条のピッチは、前記レンチキュラーレンズ面のピッチの整数倍である、
請求項１に記載のレンチキュラーシートセット。
【請求項３】
請求項１に記載のレンチキュラーシートセットを用いてレンチキュラーを製作するためのジグであって、
前記レンズシートが載置され前記レンチキュラーレンズ面と嵌合する凹部または凸部からなる第一嵌合部が形成された第一載置面を備える第一プレートと、
前記記録シートが載置され前記嵌合部と嵌合する凹部または凸部からなる第二嵌合部が形成された第二載置面を備える第二プレートと、
前記第一プレートと前記第二プレートとに結合し、前記レンチキュラーレンズ面の等高線と前記嵌合面の等高線とを整列させながら前記第一プレートと前記第二プレートとで挟んで前記レンズシートと前記記録シートとを重ね合わせるためのプレート拘束手段と、
を備えるレンチキュラージグ。
【請求項４】
前記プレート拘束手段はヒンジである、
請求項３に記載のレンチキュラージグ。
【請求項５】
前記第一プレート、前記第二プレートの一方にはガイド孔が形成され、
前記プレート拘束手段は、前記第一プレート、前記第二プレートの他方に結合し前記ガイド孔に挿入されるガイド棒である、
請求項３に記載のレンチキュラージグ。
【請求項６】
前記第一嵌合部と前記第二嵌合部とは、互いに平行な溝または線条であって、
前記溝または前記線条のピッチは、前記レンチキュラーレンズ面のピッチの整数倍である、
請求項３に記載のレンチキュラージグ。
【請求項７】
前記第一載置面は前記レンズシートを仮固定するための第一粘着部を有し、
前記第二載置面は前記記録シートを仮固定するための第二粘着部を有する、
請求項３に記載のレンチキュラージグ。
【請求項８】
請求項１に記載のレンチキュラーシートセットを用いてレンチキュラーを製作する方法であって、
前記記録シートにレンチキュラー画像を形成する工程と、
凹部または凸部からなる第一嵌合部が形成された第一載置面を備える第一プレートの前記第一載置面に前記レンチキュラーレンズ面を仮固定する工程と、
凹部または凸部からなる第二嵌合部が形成された第二載置面を備える第二プレートの前記第二載置面に前記レンチキュラー画像が形成された前記記録シートの前記嵌合面を仮固定する工程と、
前記レンチキュラーレンズ面が仮固定された前記第一プレートと、前記嵌合面が仮固定された前記第二プレートとを整列させながら前記第一プレートと前記第二プレートとで挟んで前記レンズシートと前記記録シートとを重ね合わせる工程と、
を含むレンチキュラー製作方法。
【発明の詳細な説明】
【技術分野】
【０００１】
本発明は、レンチキュラーの製作に関する。
【背景技術】
【０００２】
従来、観察する方向によって絵柄が変化したり、視差によって立体感が得られる印刷物であるレンチキュラーが知られている。レンチキュラーのための印刷では、２つ以上の対象画像のそれぞれが細長い短冊領域に分割され、レンチキュラーレンズを構成する複数の凸レンズのそれぞれに各対象画像の短冊領域が１つずつ対応するように印刷用画像データが形成される。例えば視差によって立体感が得られるレンチキュラーでは、印刷用画像データに基づいて印刷が実行されることによって、右目用の対象画像の１つの短冊領域と左目用の対象画像の１つの短冊領域とが１つの凸レンズに対応するレンチキュラー画像が印刷媒体に形成される。以下、１つの凸レンズに対応する複数の対象画像の短冊領域の１束をストライプセットというものとする。
【０００３】
レンチキュラーを製作する方法として、レンチキュラーレンズ層と印刷媒体層とを積層した単体のシートにレンチキュラー画像を印刷する方法が知られている（特許文献１参照）。また、レンチキュラーを製作する別の方法として、レンチキュラーレンズシートと、プリンターによって画像が形成される記録シートとをレンチキュラー画像の印刷後に重ね合わせる方法が知られている（特許文献２、３参照）。印刷後にレンチキュラーシートと記録シートとを重ね合わせる場合、ストライプセットの延伸方向とレンチキュラーレンズ面の等高線とが平行になり、かつ、レンチキュラーレンズ面の谷とストライプセットの境界とが重なるように正確に両者を整列させた状態で重ね合わせしなければならない。特許文献２，３には、２枚のシートを整列させて貼り合わせるために、対向する接着面の観察対象領域外のそれぞれにゲージや線条を形成する方法が記載されている。
【先行技術文献】
【特許文献】
【０００４】
【特許文献１】特開２００９−７３６５１号公報
【特許文献２】特解平１１−３５２４４１号公報
【特許文献３】特開平９−２２４７８５号公報
【発明の概要】
【発明が解決しようとする課題】
【０００５】
特許文献１に記載されているようにレンチキュラーレンズ層と印刷媒体層とを積層した単体のシートにレンチキュラー画像を印刷する方法では、レンチキュラーレンズ層と印刷媒体層との合計厚さをプリンターで印刷可能な厚さの範囲に治める必要がある。しかし、レンチキュラーレンズ層を薄くするほど、絵柄が変化する効果や立体感を得にくいという問題がある。
【０００６】
レンチキュラーレンズシートと記録シートとをレンチキュラー画像の印刷後に重ね合わせる方法では、レンチキュラーレンズシートと記録シートとを正確に整列させることが困難である。特許文献２、３に記載されているように記録シートの観察対象領域外にゲージや線条を形成しておく方法では、プリンターが印刷可能な領域に対して記録シートの印刷許容領域が狭くなるという問題があり、例えば縁なしのレンチキュラーを実現することは不可能である。また仮に、特許文献３に記載されている線条を観察対象領域内に形成すると、印刷ヘッドと記録シートとの距離が不均一になるため画質が劣化するという問題がある。
【０００７】
本発明はこのような問題を解決するために創作されたものであって、高画質で縁なしのレンチキュラーを低いコストで製作することを目的の１つとする。
【課題を解決するための手段】
【０００８】
（１）上記目的を達成するためのレンチキュラーシートセットは、プリンターを用いてレンチキュラーを製作するためのシートセットであって、レンチキュラーレンズ面と、前記レンチキュラーレンズ面の裏面である平坦面と、が形成されたレンズシートと、前記プリンターから供給される着色剤を受容する平坦な受容面と、前記受容面の裏面に対応し、前記受容面に垂直な軸周りの回転と主走査方向への平行移動とが嵌合により拘束される凹部または凸部からなる嵌合部が形成されている嵌合面と、が形成された記録シートと、を備える。
【０００９】
本発明によると、記録シートの受容面が平坦であるため高画質を実現できる。本発明に係る嵌合部は、記録シートとレンズシートとを整列させて重ね合わせるためのジグに嵌合することによって、受容面に垂直な軸周りに記録シートがジグに対して回転することと、送紙方向に対して垂直な方向に記録シートがジグに対して平行移動することとを拘束するものである。一方、本発明に係るレンチキュラーレンズ面もジグに嵌合することによって、ジグに対してレンズシートが回転することとレンチキュラーレンズ面の等高線に対して垂直な方向にレンズシートが平行移動することを防止できる。すなわち本発明によると、記録シートとレンズシートとをジグを介して正確に整列させることが可能になる。そして、記録シートとジグとを嵌合させるための嵌合部は受容面の裏面に形成するため、記録シートの観察対象領域を受容面の全域に設定することができる。すなわち縁なしのレンチキュラーを製作することができる。また、本発明によると記録シートとレンズシートとをジグとの嵌合によって整列させるため、ゲージを目視しながら手作業で整列させるよりも短時間で両者を整列させることができるため製作コストが低くなり、また光センサでゲージを検出しながら機械的に整列させる場合に比べても製作コストが低くなる。
【００１０】
（２）上記目的を達成するためのレンチキュラーシートセットにおいて、前記嵌合部は、送紙方向を画定するために前記プリンターに形成された凹部または凸部からなるガイドと嵌合し、前記レンチキュラーレンズ面の等高線と平行な溝または線条からなり、前記溝または線条のピッチは、前記レンチキュラーレンズ面のピッチの整数倍であってもよい。
かかる構成によると、プリンターで記録シートを搬送するときに記録シートが回転したり斜行することを防止できる。またかかる構成によると、ストライプセットの境界とレンチキュラーレンズ面の谷とがずれた状態で記録シートとレンズシートとが重ね合わせられることを防止できる。
【００１１】
（３）上記目的を達成するためのレンチキュラージグは、前記レンズシートが載置され前記レンチキュラーレンズ面と嵌合する凹部または凸部からなる第一嵌合部が形成された第一載置面を備える第一プレートと、前記記録シートが載置され前記嵌合部と嵌合する凹部または凸部からなる第二嵌合部が形成された第二載置面を備える第二プレートと、前記第一プレートと前記第二プレートとに結合し、前記レンチキュラーレンズ面の等高線と前記嵌合面の等高線とを整列させながら前記第一プレートと前記第二プレートとで挟んで前記レンズシートと前記記録シートとを重ね合わせるためのプレート拘束手段と、を備える。
本発明によると、ストライプセットの延伸方向とレンチキュラーレンズ面の等高線とが平行になり、かつ、レンチキュラーレンズ面の谷とストライプセットの境界とが重なるように正確に整列した状態でレンズシートと記録シートとを重ね合わせることが容易である。
【００１２】
（４）上記目的を達成するためのレンチキュラージグにおいて、前記プレート拘束手段はヒンジであってもよい。
かかる構成によると、第一プレートと第二プレートとでレンズシートと記録シートとを挟み込む作業が容易である。
【００１３】
（５）上記目的を達成するためのレンチキュラージグにおいて、前記第一プレート、前記第二プレートの一方にはガイド孔が形成され、前記プレート拘束手段は、前記第一プレート、前記第二プレートの他方に結合し前記ガイド孔に挿入されるガイド棒であってもよい。
かかる構成によると、第一プレートと第二プレートとを正確に整列させることが容易である。
【００１４】
（６）上記目的を達成するためのレンチキュラージグにおいて、第一嵌合部と前記第二嵌合部とは、互いに平行な溝または線条であって、前記溝または線条のピッチは、前記レンチキュラーレンズ面のピッチの整数倍であってもよい。
かかる構成によると、ストライプセットの境界とレンチキュラーレンズ面の谷とがずれた状態で記録シートとレンズシートとが重ね合わせられることを防止できる。
【００１５】
（７）上記目的を達成するためのレンチキュラージグにおいて、前記第一載置面は前記レンズシートを仮固定するための第一粘着部を有し、前記第二載置面は前記記録シートを仮固定するための第二粘着部を有してもよい。
かかる構成によると、第一プレートと第二プレートとでレンズシートと記録シートとを整列した状態を維持して挟み込む作業が容易である。
【００１６】
（８）上記目的を達成するためのレンチキュラー製作方法は、前記記録シートにレンチキュラー画像を形成する工程と、凹部または凸部からなる第一嵌合部が形成された第一載置面を備える第一プレートの前記第一載置面に前記レンチキュラーレンズ面を仮固定する工程と、凹部または凸部からなる第二嵌合部が形成された第二載置面を備える第二プレートの前記第二載置面に前記レンチキュラー画像が形成された前記記録シートの前記嵌合面を仮固定する工程と、前記レンチキュラーレンズ面が仮固定された前記第一プレートと、前記嵌合面が仮固定された前記第二プレートとを整列させながら前記第一プレートと前記第二プレートとで挟んで前記レンズシートと前記記録シートとを重ね合わせる工程と、を含む。
【００１７】
本発明によると、ストライプセットの延伸方向とレンチキュラーレンズ面の等高線とが平行になり、かつ、レンチキュラーレンズ面の谷とストライプセットの境界とが重なるように正確に整列した状態でレンズシートと記録シートとを重ね合わせることが容易である。
【図面の簡単な説明】
【００１８】
【図１】図１Ａは本発明の実施形態にかかる斜視図。図１Ｂおよび図１Ｃは本発明の実施形態にかかる拡大断面図。
【図２】本発明の実施形態にかかる平面図。
【図３】本発明の実施形態にかかる断面図。
【図４】図４Ａおよび図４Ｂは本発明の実施形態にかかる断面図。
【図５】本発明の実施形態にかかる断面図。
【図６】本発明の実施形態にかかる断面図。
【図７】図７Ａは本発明の実施形態にかかる断面図。図７Ｂは本発明の実施形態にかかる拡大断面図。
【図８】本発明の実施形態にかかる平面図。
【図９】本発明の実施形態にかかる模式図。
【図１０】本発明の実施形態にかかる断面図。
【図１１】図１１Ａは本発明の実施形態にかかる断面図。図１１Ｂは本発明の実施形態にかかる斜視図。
【図１２】図１２Ａは本発明の実施形態にかかる平面図。図１２Ｂ、図１２Ｃ、は図１２Ａに示すＢ−Ｂ線の断面図。図１２Ｄは図１２Ａに示すＤ−Ｄ線の断面図。
【図１３】本発明の実施形態にかかる斜視図。
【発明を実施するための形態】
【００１９】
以下、添付図面を参照しながら本発明の実施形態を説明する。各図において対応する構成要素には同一の符号が付され、重複する説明は省略される。
１．概要
はじめに本発明によるレンチキュラー製作方法の実施形態の概要について説明する。本実施形態では、レンチキュラーを製作するにあたって専用のジグを用いる。この専用ジグをレンチキュラージグという。レンチキュラージグは２つのプレートを備える。それぞれのプレートには、レンチキュラーシートセットを構成するレンズシートと記録シートとが載置される。レンズシートが載置されるプレートをレンズプレートといい、記録シートが載置されるプレートをメディアプレートという。レンズプレートにはレンズプレートに対するレンズシートの動きを拘束するための線条が形成される。メディアプレートにはメディアプレートに対する記録シートの動きを拘束するための線条が形成される。レンズシートと記録シートの動きをレンズプレートとメディアプレートによって拘束した状態でレンズプレートとメディアプレートとによってレンズシートと記録シートとを挟んで重ね合わせると、ストライプセットの境界とレンチキュラーレンズ面の谷とを正確に整列させることができる。
【００２０】
２．レンチキュラーシートセットの構成
図１Ａはレンチキュラーシートセット１を示す斜視図である。シートセット１は、レンズシート１０と記録シート１１とからなる。レンズシート１０と記録シート１１の平面寸法（長辺と短辺の長さ）は同一である。重ね合わせたときにレンズシート１０と記録シート１１のいずれか一方が所定幅だけはみ出すようにいずれか一方の平面寸法を他方に対して大きくしても良い。
【００２１】
レンズシート１０は、レンチキュラーの表面（観察対象となる面）に対応するレンチキュラーレンズ面１０ａと、記録シート１１に貼り付けられる平坦な平坦面１０ｂとを有するレンチキュラーレンズを構成している。レンズシート１０は、十分な立体感が得られるように６８０μｍ以上の厚さを有することが好ましい。レンズシート１０は、ＰＥＴ（Polyethylene Terephthalate）等の透明または半透明の樹脂材料からなる。本実施形態ではレンズシート１０としてバックライトフィルムを用いる。レンチキュラーレンズ面１０ａは、一体的に連結された複数のシリンドリカルレンズによって構成され、凹部（谷）と凸部（山）とが交互に繰り返され等高線が平行な波面を形成している。レンズシート１０の平坦面１０ｂには、図示しない粘着層が薄く形成されている。レンズシート１０は図示しない保護フィルムによってこの粘着層を覆った状態で提供される。
【００２２】
記録シート１１は、図１Ｂに示すようにインク透過層１１１、バックライトフィルム層１１３およびこれらの間に挟まれたインク吸収層１１２の３層からなる。記録シート１１の厚さは、一般的に普及しているインクジェットプリンターの写真用紙相当の３５０μｍ以下とし、例えば３００μｍとすることが好ましい。したがって、バックライトフィルム層１１３の厚さは、写真用紙のレジンコート層、ベースペーパー層等のインクを透過も吸収もしない層の厚さと同程度とし、例えば２００μｍとすることが好ましい。このように記録シート１１の厚さを一般的に普及しているインクジェットプリンターの写真用紙と同程度に抑えることによって、印刷ヘッドとプラテンとの専用ギャップ調整機構をインクジェットプリンターに設ける必要が無くなる。インク吸収層１１２とバックライトフィルム層１１３との間にＰＥＴ（Polyethylene Terephthalate）層を追加しても良い。インク透過層１１１の表面１１ａはインクジェットプリンターから着色剤として供給されるインクを受容する。インク吸収層１１２はインクを吸収し、定着させる。バックライトフィルム層１１３の表面１１ｂは、凹部（谷）と凸部（山）とが交互に繰り返され等高線が平行な波面を構成している。本実施形態では、バックライトフィルム層１１３はレンズシート１０と同一のバックライトフィルムによって構成されている。したがってバックライトフィルム層１１３の表面１１ｂには、レンズシート１０のレンチキュラーレンズ面１０ａと同一ピッチ（同一周期）の波面が形成される。以下、バックライトフィルム層１１３の表面１１ｂを嵌合面１１ｂという。記録シート１１の嵌合面１１ｂは受容面１１ａの裏面であるため、嵌合面１１ｂを構成する波面の広さを印刷許容範囲とは無関係に設定することができる。嵌合面１１ｂの等高線は、レンズシート１０と記録シート１１とを重ね合わせたときにレンチキュラーレンズ面１０ａの等高線と平行になる方向に伸びている。
【００２３】
３．レンチキュラージグの構成
図２および図３に示すように、レンチキュラージグ２は、第二プレートとしてのメディアプレート２２と第一プレートとしてのレンズプレート２１とプレート拘束手段としてのヒンジ２３とを備える。
【００２４】
メディアプレート２２は、記録シート１１を回転不能に載置するための凹部（谷）と凸部（山）とが交互に繰り返され等高線が平行な波面を構成している部分である。メディアプレート２２には、嵌合面１１ｂと同一ピッチの波面を構成している第二載置面としてのメディア載置面２２ａが形成される。メディア載置面２２ａには記録シート１１を仮固定するための粘着部２１４が形成される。粘着部２１４は、両面粘着テープ等によって構成される。メディアプレート２２には、メディアプレート２２とレンズプレート２１との間にレンズシート１０および記録シート１１が収まる空隙を確保するための線条２２４ａ、２２４ｂが形成されている。
【００２５】
レンズプレート２１は、レンズシート１０を回転不能に載置するための凹部（谷）と凸部（山）とが交互に繰り返され等高線が平行な波面を構成している部分である。レンズプレート２１には、レンチキュラーレンズ面１０ａとピッチが同一で等高線が平行な波面を構成している第一載置面としてのレンズ載置面２１ａが形成される。レンズ載置面２１ａにはレンズシート１０を仮固定するための粘着部２１３が形成される。粘着部２１３は、両面テープ等によって構成される。レンズプレート２１には、メディアプレート２２とレンズプレート２１との間にレンズシート１０および記録シート１１が収まる空隙を確保するための線条２１４ａ、２１４ｂが形成されている。
【００２６】
ヒンジ２３は、メディアプレート２２とレンズプレート２１とをヒンジを回転軸として回転可能に連結する部分である。すなわちヒンジ２３は、メディアプレート２２とレンズプレート２１とに結合し、メディアプレート２２とレンズプレート２１との相対的な運動を回転運動に拘束する拘束手段である。ヒンジ２３には、メディアプレート２２の回転軸を固定するための直線状の溝２３２と、レンズプレート２１の回転軸を固定するための直線状の溝２３１とが形成される。溝２３１と溝２３２とを互いに平行にすることによってメディアプレート２２とレンズプレート２１の回転軸が互いに平行になる。
【００２７】
レンチキュラージグ２は、例えばレンズシート１０と同一の２枚のバックライトフィルム２１１，２２１を、線条２２４ａ、２２４ｂ、２１４ａ、２１４ｂ、溝２３１、２３２が形成されたベースプレート２１２に接着して製造することができる。この場合、２枚のバックライトフィルム２１１，２２１とベースプレート２１２との正確な位置合わせが重要になる。すなわち、２枚のバックライトフィルム２１１，２２１の波面の等高線が互いに平行になり、かつ、ヒンジ２３を折り曲げてレンズプレート２１とメディアプレート２２とを重ねたときにバックライトフィルム２１１，２２１の波面の位相差がプレートの厚さ方向において所定値（本実施形態では位相差は０とする。）になるようにベースプレート２１２にバックライトフィルム２１１，２２１を接着しなければならない。したがってベースプレート２１２を射出成形等によって形成するときに、位置合わせのためのマークや、バックライトフィルム２１１，２２１を嵌め込むための凹部などを形成しておくことが好ましい。また、レンチキュラージグ２を一体成形しても良い。
【００２８】
４．レンチキュラー製作方法
上述したレンチキュラーシートセット１とレンチキュラージグ２とを用いてレンチキュラーを製作する方法を図４に基づいて説明する。
【００２９】
まず図４Ａおよび図４Ｂに示すように、レンチキュラー画像として、レンズシート１０を通した視差によって立体感を得られる画像を印刷用画像データに基づいてインクジェットプリンター３によって記録シート１１に印刷する。
【００３０】
立体感を得られるレンチキュラー画像を形成するため印刷用画像データは、左目用の短冊画像データ群と右目用の短冊画像データ群とによって構成される。本実施形態では１つの画像データ群について１つのカメラで同一の対象物を撮影することによって左目用の短冊画像データ群と右目用の短冊画像データ群とが形成されるとする。すなわち本実施形態では、左目用の短冊画像データ群を構成する１つ１つの短冊画像データ（左目用短冊画像データ）は、１つの対象物を１つのカメラで撮影して得た画像データを細長く分割した画像データである。また右目用の短冊画像データ群を構成する１つ１つの短冊画像データ（右目用短冊画像データ）は、右目用の短冊画像データ群とは異なる方向から１つのカメラで同一の対象物を撮影して得た画像データを細長く分割した画像データである。レンチキュラー画像データは、このような左目用短冊画像データと右目用の短冊画像データとをそれらの短手方向に交互に配列した画像である。
【００３１】
このような印刷用画像データに基づいて記録シート１１にレンチキュラー画像が印刷されると、図１Ｃに示すように左目用の短冊画像データ群に対応する左目用短冊領域１１２ｎａ（ｎ＝１，２・・・）と右目用短冊画像データ群に対応する右目用短冊領域１１２ｎｂ（ｎ＝１，２・・・）とがインク吸収層１１２に形成される。本実施形態では、各１つの右目用短冊領域と左目用短冊領域とで１束のストライプセットが構成される。
【００３２】
図４Ａおよび図４Ｂに示すようにインクジェットプリンターを用いてレンチキュラー画像を記録シート１１に形成するとき、記録シート１１の嵌合面１１ｂの等高線と正確に平行な方向に記録シート１１を搬送しなければならない。すなわち印刷中は、記録シート１１の嵌合面１１ｂの等高線と副走査方向（送紙方向）とは正確に平行でなけらばならず、また記録シート１１が副走査方向以外の方向に並進することも許されない。記録シート１１の嵌合面１１ｂの等高線と正確に平行な方向に記録シート１１が搬送されていない状態で印刷が実行されると、レンチキュラーの画質が大きく悪化する。
【００３３】
そこで本実施形態では、記録シート１１の嵌合面１１ｂの等高線と正確に平行な方向に記録シート１１を搬送するために、トレイ３１にガイド３１１を備えたインクジェットプリンターを用いる。ガイド３１１は、記録シート１１の嵌合面１１ｂと嵌合することによって記録シート１１の搬送方向を画定する凸部および凹部を表面に有する。本実施形態では、レンズシート１０と実質的に同一のバックライトフィルムをガイド３１１として用いる。したがってガイド３１１は、記録シート１１の嵌合面１１ｂの波面のピッチと同じピッチの波面を有する。そしてガイド３１１は、波面の等高線が副走査方向と平行になるようにトレイ３１に固定されている。
【００３４】
記録シート１１は、嵌合面１１ｂがガイド３１１と嵌合するようにトレイ３１に載置された状態で、図示しないモーターによって駆動される送紙ローラー３６１、３６２、３６３によって間欠的に搬送される。バックライトフィルムによって構成されるガイド３１１の山が同一のバックライトフィルムによって構成される記録シート１１の谷１１３ａに嵌り、バックライトフィルムによって構成される記録シート１１の山１１３ｂが同一のバックライトフィルムによって構成されるガイド３１１の谷に嵌るため、記録シート１１は副走査方向に正確に搬送される。このため、搬送中に記録シート１１が受容面１１ａと垂直な軸周りに回転したり斜行することが防止される。
【００３５】
記録シート１１が停止した状態では、インクタンク３４、３５から供給されるインクが主走査方向に移動している印刷ヘッド３３から吐出される。主走査方向における記録シート１１の位置は、ガイド３１１によって正確に画定されているため、印刷ヘッド３３から吐出されたインク滴は記録シート１１の受容面１１ａの目標位置に正確に着弾し、インク透過層１１１を透過してインク吸収層１１２に吸収される。その結果、正確なレンチキュラー画像が記録シート１１に形成される。すなわち、ストライプセット１１２１、１１２２、１１２３の境界が記録シート１１の嵌合面１１ｂの波面の山および谷に対して正確に位置決めされた状態でレンチキュラー画像が記録シート１１に形成される。
【００３６】
また、記録シート１１の受容面１１ａは全域が平坦であるため、記録シート１１に高精細なレンチキュラー画像を形成することができるとともに、記録シート１１に対する所謂縁なし印刷が可能である。すなわち、記録シート１１の受容面１１ａの全域に対して高精細なレンチキュラー画像を形成することが可能である。
【００３７】
レンチキュラー画像の印刷後、記録シート１１とレンズシート１０とは図５に示すようにレンチキュラージグ２に仮固定される。具体的には、嵌合面１１ｂの山がメディア載置面２２ａの谷と嵌合し、嵌合面１１ｂの谷がメディア載置面２２ａの山と嵌合するように記録シート１１がメディアプレート２２に載置される。すると、メディア載置面２２ａの一部を構成している粘着部２１４が記録シート１１に粘着するため、記録シート１１がメディアプレート２２に仮固定される。またレンチキュラーレンズ面１０ａの山がレンズ載置面２１ａの谷と嵌合し、レンチキュラーレンズ面１０ａの谷がレンズ載置面２１ａの山と嵌合するようにレンズシート１０がレンズプレート２１に載置される。すると、レンズ載置面２１ａの一部を構成している粘着部２１３がレンズシート１０に粘着するため、レンズシート１０がレンズプレート２１に仮固定される。このように記録シート１１とレンズシート１０とがレンチキュラージグ２に仮固定されると、記録シート１１の嵌合面１１ｂの等高線とレンズシート１０のレンチキュラーレンズ面１０ａの等高線とが互いに平行になる。
【００３８】
次に、レンズシート１０の粘着層を覆う保護フィルムを剥離した後、図６に示すようにヒンジ２３を溝２３１、２３２で折り曲げ、レンズプレート２１とメディアプレート２２とでレンズシート１０と記録シート１１とを挟み込んで重ね合わせる。このときレンズシート１０と記録シート１１とは、それぞれレンズプレート２１とメディアプレート２２とに仮固定されているため、レンチキュラーレンズ面１０ａの等高線と記録シート１１の嵌合面１１ｂの等高線とが互いに平行に整列した状態を維持しながら、重ね合わされる。レンズシート１０と記録シート１１とが重ね合わされると、レンズシート１０の粘着層によってレンズシート１０と記録シート１１とが結合する。
【００３９】
レンズシート１０と記録シート１１とをレンチキュラージグ２から剥離させると、図７に示すレンチキュラー１ａが完成する。記録シート１１とレンズシート１０の端面が揃っていない場合には、両者を貼り合わせた後に周辺を裁断してもよい。
【００４０】
以上述べた方法によって製作されるレンチキュラー１ａは、印刷時に記録シート１１が主走査方向に位置決めされた状態で副走査方向に正確に搬送され、印刷後に記録シート１１とレンズシート１０とがレンチキュラージグ２によって正確に整列した状態で重ね合わされるため、図７Ｂに示すようにストライプセットの境界Ｂ（１１２１ｂと１１２２ａとの境界や１１２２ｂと１１２３ａとの境界）とレンチキュラーレンズ面１０ａの谷１０１ｂとが正確に重なる。すなわち、レンチキュラー画像の位相とレンチキュラーレンズの位相とが一致する。そして、レンチキュラー画像はレンズシート１０を通じて受容面１１ａから観察されるため、高精細なレンチキュラー画像が観察される。これに対し、レンチキュラーレンズ層と印刷媒体層とを積層した単体のシートにレンチキュラー画像を印刷する場合、レンチキュラーレンズ面の裏面にインク滴が着弾するため、インクの着弾面（インク受容面）とレンチキュラー画像が観察される面とが一致しない。このため、本実施形態では、優れた画質（鮮鋭感の程度や立体感の程度）のレンチキュラーを製作することができる。
【００４１】
また、記録シート１１とレンズシート１０とをレンチキュラージグ２に仮固定するとき、記録シート１１とレンズシート１０とをレンチキュラージグ２に載置するだけで対向する波面の山と谷とが嵌り合う。したがって、記録シート１１とレンズシート１０とが正確に整列するようにレンチキュラージグ２に仮固定することは容易である。そして、レンズプレート２１とメディアプレート２２とがヒンジ２３によって連結されているため、ヒンジ２３を折り曲げるだけで記録シート１１とレンズシート１０とを整列させて重ね合わせることができる。また、記録シート１１の嵌合面１１ｂとガイド３１１の両方に等高線が平行な波面を形成しているため、ユーザが向きを間違えてガイド３１１に記録シート１１を載置することを防止できる。
【００４２】
なお、図４Ａに示す例では、ストライプセット１１２１、１１２２、１１２３の境界が嵌合面１１ｂの山と重なるように記録シート１１にレンチキュラー画像が形成されているが、これは図６に示すようにヒンジ２３を折り曲げたときにレンズ載置面２１ａの山とメディア載置面２２ａの山とが重なるようにレンズ載置面２１ａとメディア載置面２２ａが形成されているからである。仮に、ヒンジ２３を折り曲げたときにレンズ載置面２１ａの山とメディア載置面２２ａの谷とが重なるようにレンズ載置面２１ａとメディア載置面２２ａを形成する場合、ストライプセット１１２１、１１２２、１１２３の境界が嵌合面１１ｂの谷と重なるように記録シート１１にレンチキュラー画像を形成すればよい。
【００４３】
なお、レンチキュラージグ２においてレンズ載置面２１ａとメディア載置面２２ａとが正確に位置合わせされていない場合、記録シート１１に対してレンチキュラー画像が回転したり平行移動するように印刷用画像データを補正すればよい。例えば、図８に示す回転補正のための検査画像５１をインクジェットプリンター３によって記録シート１１に印刷する。この検査画像５１は副走査方向に対してなす角がわずかずつ異なり放射状に配列された複数の線分を含む。記録シート１１に印刷されたこれらの線分のうち、嵌合面１１ｂの等高線と平行になる線分を特定すると、レンチキュラー画像を回転させる角度を特定できる。また例えば、図９に示す位相補正のための検査画像５２をインクジェットプリンター３によって記録シート１１に印刷する。この検査画像５２は嵌合面１１ｂのピッチよりも狭いピッチで配列された複数の線分からなる線分群を複数含む。記録シート１１に印刷されたこれらの線分のうち、嵌合面１１ｂの谷または山と重なる線分を実測によって特定すると、レンチキュラー画像を主走査方向に平行移動させる距離を特定できる。
【００４４】
５．レンチキュラージグの変形例
図１０に示すように線条２２４ａ、２２４ｂの端面にゴム、海綿状部材、バネなどの弾性体２２５ａ、２２５ｂを設けても良い。弾性体２２５ａ、２２５ｂは、これらが線条２１４ａ、２１４ｂに接触しただけの状態ではレンズシート１０と記録シート１１とが接触せず、レンズプレート２１とメディアプレート２２とによって押しつぶされると、レンズシート１０と記録シート１１とが確実に接着される寸法と弾性率とを備えるものである。これによりレンズシート１０と記録シート１１とを確実に接着できる。
【００４５】
また図１１に示すように可撓性のあるレンチキュラーレンズ自体をレンチキュラージグ２として用いても良い。この場合、折り曲げられたレンチキュラージグ２の内寸法がシートセット１の寸法よりも十分大きくなるように設定すれば、レンチキュラージグ２の屈曲部から離れた領域においてレンチキュラージグ２にレンズシート１０の全面と記録シート１１の全面とを嵌合させることができる。また、レンズシート１０および記録シート１１を載置する領域の外側に嵌合領域２７ａ、２７ｂを設け、レンズシート１０および記録シート１１を仮固定した状態で重ね合わせたときに嵌合領域２７ａと嵌合領域２７ｂとが確実に嵌合するようにしてもよい。この場合、記録シート１１の嵌合面１１ｂの山とレンズシート１０のレンチキュラーレンズ面１０ａの谷とが厚さ方向に重なることになる。したがって、記録シート１１にレンチキュラー画像を印刷する工程では、ストライプセットの境界と嵌合面１１ｂの山とが重なるように主走査方向におけるレンチキュラー画像の印刷位置を設定する。
【００４６】
またレンズ載置面２１ａおよびメディア載置面２２ａにレンズシート１０と記録シート１１を位置決めするためのマークや凹部を設けても良い。例えば、線条２１４ａと線条２１４ｂの間隔をレンズシート１０の幅と一致させ、線条２２４ａと線条２２４ｂの間隔を記録シート１１の幅と一致させても良い。
【００４７】
またシートセット１に対する粘着部２１３、２２３の粘着力を有効化したり無効化するための切換手段をレンチキュラージグ２に設けても良い。例えば図１２に示すようにレンズプレート２１に切換手段としてのスライダー２５を設けても良い。図１２に示すレンズプレート２１は、ベースプレート２１２とバックライトフィルム２１１との間にスライダー２５を収容するための空隙が形成されている。
図１２Ａに示すように、バックライトフィルム２１１にはスライダー２５の一部を露出させるための窓２１１ａ、２１１ｂ、２１１ｃ、２１１ｄが形成されている。スライダー２５は可撓性のある板状部材であって、窓２１１ａ、２１１ｂ、２１１ｃ、２１１ｄから露出する領域に図示しない粘着層が形成されている。
図１２Ｂに示すように、バックライトフィルム２１１にはスライダー２５の一部と摺接することによりスライダー２５をレンズ載置面２１ａから遠ざける傾斜凸部２１１ｅ、２１１ｇが形成されている。傾斜凸部２１１ｅ、２１１ｇによってスライダー２５がレンズ載置面２１ａから遠ざけられているとき、スライダー２５に形成されている粘着層は窓２１１ａ、２１１ｃ、２１１ｄから露出しない。すなわち、レンズシート１０に対するレンチキュラージグ２の粘着力が無効になる。
【００４８】
図１２Ｃおよび図１２Ｄに示すように、ベースプレート２１２にはスライダー２５の一部と摺接することによりスライダー２５をレンズ載置面２１ａに近づけるとともにその一部を曲げる傾斜凸部２１２ａ、２１２ｃが形成されている。スライダー２５が傾斜凸部２１２ａ、２１２ｃによってレンズ載置面２１ａに最も近づけられているとき、スライダー２５に形成されている粘着層が窓２１１ａ、２１１ｂ、２１１ｃ、２１１ｄから露出するとともに、レンズシート１０に接触する。すなわち、レンズシート１０に対するレンチキュラージグ２の粘着力が有効になる。
【００４９】
このようなスライダー２５は、図１２に示すように端部をベースプレート２１２およびバックライトフィルム２１１からはみ出させて手動操作の対象にしても良いし、レンチキュラージグ２の折り曲がり動作に連動してスライダー２５が移動する機構を設けても良い。例えばレンズプレート２１、メディアプレート２２の一方に設けたロッカースイッチを押し込む凸部を他方に設けるとともに、ロッカースイッチの揺動とスライダー２５の平行移動とを連動させる軸部によって両者を連結しても良い。
【００５０】
６．他の実施形態
以上、本発明を実施形態を用いて具体的に説明したが、本発明の技術的範囲は特許請求の範囲によって画定され、上述した実施形態に限定されないことはいうまでもない。
例えば、レンズプレート２１とメディアプレート２２とを整列させながら重ね合わせるための拘束手段として、スライドリンクを用いても良い。例えば図１３に示すようにメディアプレート２２から延伸する複数のガイドロッド２６１、２６２、２６３、２６４を設けるとともに、ガイドロッド２６１、２６２、２６３、２６４に対応するガイド孔２１５ａ、２１５ｂ、２１５ｃ、２１５ｄをレンズプレート２１に形成しておく。そしてメディアプレート２２に記録シート１１を仮固定し、レンズプレート２１にレンズシート１０を仮固定した後に、ガイドロッド２６１、２６２、２６３、２６４をガイド孔２１５ａ、２１５ｂ、２１５ｃ、２１５ｄに通す。そしてガイドロッド２６１、２６２、２６３、２６４によって拘束された状態でレンズプレート２１とレンズシート１０とで記録シート１１とレンズシート１０を挟み込むと、記録シート１１とレンズシート１０とを整列させた状態で貼り合わせることができる。すなわちガイドロッド２６１、２６２、２６３、２６４は、メディアプレート２２とレンズプレート２１とに結合し、メディアプレート２２とレンズプレート２１との相対的な運動を特定方向の並進運動に拘束する拘束手段である。
【００５１】
また、嵌合面の波面のピッチはレンチキュラーレンズ面のピッチの整数倍であればよい。また、嵌合面の凹部または凸部の形態は、プリンターのガイドおよびメディアプレートに対して、受容面に垂直な軸周りの記録シートの回転と記録シートの主走査方向への平行移動とが嵌合により拘束される形態であればよい。例えば平面を蛇腹状に屈折させた形態でも良いし、１つ以上の直線的な線条が形成された形態でも良いし、１つ以上の直線的な溝が形成された形態でも良い。またメディア載置面およびレンズ載置面には、格子状に配列した線条または溝を形成しても良い。
【００５２】
また、ヒンジは軸部などの回転機構を備えたものであってもよい。
また、レンズシート１０を通した観察方向に応じて像が変化する所謂チェンジング画像のレンチキュラーの製作に本発明を適用しても良い。
【符号の説明】
【００５３】
１…レンチキュラーシートセット、１ａ…レンチキュラー、２…レンチキュラージグ、３…インクジェットプリンター、１０…レンズシート、１０ａ…レンチキュラーレンズ面、１０ｂ…平坦面、１１…記録シート、１１ａ…受容面、１１ｂ…嵌合面、２１…レンズプレート、２１ａ…レンズ載置面、２２…メディアプレート、２２ａ…メディア載置面、２３…ヒンジ、２５…スライダー、２７ａ…嵌合領域、２７ｂ…嵌合領域、３１…トレイ、３３…印刷ヘッド、３４…インクタンク、５１…検査画像、５２…検査画像、１０１ｂ…谷、１１１…インク透過層、１１２…インク吸収層、１１２ｎａ…左目用短冊領域、１１２ｎｂ…右目用短冊領域、１１３…バックライトフィルム層、１１３ａ…谷、１１３ｂ…山、２１１…バックライトフィルム、２２１…バックライトフィルム、２１１ａ…窓、２１１ｅ…傾斜凸部、２１２…ベースプレート、２１２ａ…傾斜凸部、２１３…粘着部、２１４…粘着部、２１４ａ…線条、２１４ｂ…線条、２１５ａ…ガイド孔、２２４ａ…線条、２２４ｂ…線条、２２５ａ…弾性体、２３１…溝、２３２…溝、２６１…ガイドロッド、３１１…ガイド、３６１…送紙ローラー、１１２１…ストライプセット
【図１】
2011186193.tif 000003
【図２】
2011186193.tif 000004
【図３】
2011186193.tif 000005
【図４】
2011186193.tif 000006
【図５】
2011186193.tif 000007
【図６】
2011186193.tif 000008
【図７】
2011186193.tif 000009
【図８】
2011186193.tif 000010
【図９】
2011186193.tif 000011
【図１０】
2011186193.tif 000012
【図１１】
2011186193.tif 000013
【図１２】
2011186193.tif 000014
【図１３】
2011186193.tif 000015